(57)【要約】【課題】クッション部の膨張展開を阻害することなく、乗員の傷害値を低減できるカーテンエアバッグを提供することを目的とする。【解決手段】本発明にかかるカーテンエアバッグ１００は、車両室内の側面部上方に収納されて側面部に沿って膨張展開するカーテンエアバッグにおいて、袋状のクッション部１０６であり、ガスを利用して膨張展開するチャンバ１３０と、膨張展開時に車両上側に位置する上縁部１３６とを有するクッション部と、膨張展開時にチャンバの車内側に位置するクッション部とは別体の保護布１３２であり、クッション部の上縁部またはその近傍に保護布の上端部１３４が接合される保護布とを備え、保護布は、クッション部の車内側の表面に沿った状態でクッション部とともに折り畳まれている。【選択図】図３
2014061323.tif 000002
【特許請求の範囲】
【請求項１】
車両室内の側面部上方に収納されて該側面部に沿って膨張展開するカーテンエアバッグにおいて、
袋状のクッション部であり、ガスを利用して膨張展開するチャンバ部と、膨張展開時に該チャンバ部の上側に位置する上縁部とを有するクッション部と、
膨張展開時に前記チャンバ部の車内側に位置する前記クッション部とは別体の保護布であり、前記クッション部の前記上縁部またはその近傍に前記保護布の上端部が接合される保護布とを備え、
前記保護布は、該クッション部の車内側の表面に沿った状態で該クッション部とともに折り畳まれていることを特徴とするカーテンエアバッグ。
【請求項２】
前記保護布の一部分は、収納状態に折り畳まれた前記クッション部の間に挟み込まれていることを特徴とする請求項１に記載のカーテンエアバッグ。
【請求項３】
前記保護布の少なくとも車内側表面は、非コーティング面であることを特徴とする請求項１または２に記載のカーテンエアバッグ。
【請求項４】
前記保護布の前記上端部は、非膨張部であることを特徴とする請求項１から３のいずれか１項に記載のカーテンエアバッグ。
【請求項５】
前記保護布の前記上端部以外の部分は、前記クッション部に対して非接合部であることを特徴とする請求項１から４のいずれか１項に記載のカーテンエアバッグ。
【請求項６】
前記保護布の前記上端部の接合は、タブと同時縫製によって形成されることを特徴とする請求項１から５のいずれか１項に記載のカーテンエアバッグ。
【請求項７】
前記保護布の下端部は、前記クッション部の膨張展開時に、前記チャンバ部の下端近傍に位置することを特徴とする請求項１から６のいずれか１項に記載のカーテンエアバッグ。
【請求項８】
前記保護布は、前記クッション部とともにロール状に折り畳まれていることを特徴とする請求項１から７のいずれか１項に記載のカーテンエアバッグ。
【発明の詳細な説明】
【技術分野】
【０００１】
本発明は、車両の側面衝突時やロールオーバ（横転）時に、乗員保護を目的として車両室内の側面部に沿って膨張展開するカーテンエアバッグに関するものである。
【背景技術】
【０００２】
近年、車両には高い安全性が求められている。この傾向は世界各国に共通していて、現在では世界各国でエアバッグが車両の安全装置としてほぼ標準装備されている。そして、車両開発に関係する事業者ではさらなる安全性向上が重要な開発テーマとして掲げられていて、これに伴って日々新たなエアバッグが開発されている。【０００３】
カーテンエアバッグは、ドア上方に設置されていて、衝撃発生時に車両のサイドウィンドウに沿って膨張展開して乗員の保護を行うエアバッグである。通常のカーテンエアバッグは、膨張展開した際の圧力持続時間がフロントエアバッグ等よりも長くなっている。側面衝突に続いてロールオーバが発生した場合などは衝撃が発生し得る時間が長いからである。このように、カーテンエアバッグはロールオーバ時にまで膨張状態を維持することで、乗員を拘束して車外放出防止を図っている。【０００４】
膨張したカーテンエアバッグに乗員が衝突すると、カーテンエアバッグは車外側に凸にたわむように変形する。これに伴い、カーテンエアバッグからの荷重が乗員に作用し、乗員への傷害値が高くなる可能性がある。近年のカーテンエアバッグには、このようなカーテンエアバッグ自体による乗員への加害性の低減が強く求められている。【０００５】
特許文献１には、膨張領域となるエアバッグ袋体（クッション部）の車内側に、別体の展開誘導布を取り付けた頭部保護エアバッグ装置（カーテンエアバッグ）が記載されている。展開誘導布は、上端がクッション部とともにルーフサイドレールに固定されていて、折り畳まれたクッション部の外周を車内方向から袋状に包んでいる。【０００６】
展開誘導布は、クッション部の外周を袋状に包んだ後、下方から上方へ折り返され、クッション部とレールインナパネルとの間でロール状に折り畳まれて挟持されている。特許文献１では、かかる展開誘導布がクッション部の膨張力により、クッション部より先に展開し、クッション部と乗員頭部との間に介在することで、クッション部による乗員頭部の保護性能を向上させるとしている。
【先行技術文献】
【特許文献】
【０００７】
【特許文献１】特開２０００−６２５６２号公報
【発明の概要】
【発明が解決しようとする課題】
【０００８】
しかし、特許文献１に記載のカーテンエアバッグの展開誘導布は、折り畳まれたクッション部の周囲を袋状に覆うカバーとなっている。展開誘導布は、その下端がクッション部とレールインナパネルとの間でロール状に折り畳まれて収納されている。かかる状態で収納された展開誘導布は、都合よくほどけずに、クッション部の展開挙動そのものを阻害し、かえって乗員頭部の保護性能を損なう場合がある。また、予定通り展開誘導布がほどけても、この布のある部分の展開が他の部分よりも相対的に遅れて開くことは物理的に当然のことである。したがって、特許文献１に記載のカーテンエアバッグでは、ファーストインパクトに対する乗員保護性能を十分に満足するものを得ることは難しい。【０００９】
本発明は、このような課題に鑑み、クッション部の膨張展開を阻害することなく、乗員の傷害値を低減できるカーテンエアバッグを提供することを目的としている。
【課題を解決するための手段】
【００１０】
上記課題を解決するために、本発明にかかるカーテンエアバッグの代表的な構成は、車両室内の側面部上方に収納されて側面部に沿って膨張展開するカーテンエアバッグにおいて、袋状のクッション部であり、ガスを利用して膨張展開するチャンバ部と、膨張展開時にチャンバ部の上側に位置する上縁部とを有するクッション部と、膨張展開時にチャンバ部の車内側に位置するクッション部とは別体の保護布であり、クッション部の上縁部またはその近傍に保護布の上端部が接合される保護布とを備え、保護布は、クッション部の車内側の表面に沿った状態でクッション部とともに折り畳まれていることを特徴とする。【００１１】
上記構成によれば、保護布がクッション部とともに折り畳まれているので、保護布は、クッション部と同時に確実に展開し、クッション部の膨張展開を阻害することがない。よって、クッション部は、ファーストインパクトの展開スピードが保護布によって阻害されることもなく、ディレーチャンバがある場合にはその部分を除いて、全体が均一に展開する。保護布は、クッション部とは別体の布であり、膨張展開時にチャンバ部の車内側に位置し、チャンバ部と乗員との間に介在することになる。このため、側突時など乗員が正常な着座位置から外れた位置にある、いわゆるＯＯＰ（out of position）時に、乗員が保護布に接触し、さらに保護布がチャンバ部に接触する。【００１２】
さらに、保護布は、上端部がクッション部に接合されている。このため、保護布は、例えば下端部などはクッション部から離間可能とするなど、クッション部に対して部分的に接合してよい。このようにすれば、保護布は、ＯＯＰ時にチャンバ部および乗員に対してそれぞれの接触箇所で滑るように動いて位置がずれる。その結果、保護布によって、乗員とクッション部との間の摩擦が緩和されることになり、乗員の傷害値を低減できる。【００１３】
上記の保護布の一部分は、収納状態に折り畳まれたクッション部の間に挟み込まれているとよい。これにより、保護布の一部分は、折り畳まれたクッション部が膨張展開するとき同時に展開し、クッション部の膨張展開を阻害しない。【００１４】
上記の保護布の少なくとも車内側表面は、非コーティング面であるとよい。なお保護布の車内側表面は、乗員に接する側となる。また、非コーティング面とは、シリコン等のコーティングが施されていない面である。これにより、乗員と保護布との接触抵抗がより小さくなり、保護布のよりスムーズな展開が可能となり、ＯＯＰ時の乗員への傷害値を確実に低減できる。なお保護布の両面が非コーティング面であれば、さらにスムーズな展開を実現できるので、より好ましい。【００１５】
上記の保護布の上端部は、非膨張部であるとよい。言い換えると、保護布の上端部がクッション部の上縁部またはその近傍の非膨張部で接合されている。このため、クッション部の膨張展開時、クッション部に対する保護布の位置が安定する。よって、保護布は、膨張展開時にチャンバ部の車内側の所定範囲を確実に覆うことが可能となる。なお所定範囲とは、クッション部の膨張展開時に乗員との接触が想定される範囲をいう。【００１６】
保護布の上端部以外の部分は、クッション部に対して非接合部であるとよい。これにより、保護布は、上端部のみがクッション部に接合され、それ以外の部分がクッション部から離間可能となる。このため、保護布は、ＯＯＰ時にチャンバ部および乗員に対してそれぞれの接触箇所で滑り易くなり、その結果、乗員とクッション部との間の摩擦が緩和される。したがって、保護布によって乗員の傷害値を確実に低減できる。【００１７】
保護布の上端部の接合は、タブと同時縫製によって形成されるとよい。これにより、保護布の上端部だけでなく、上端部が接合されるクッション部の上縁部またはその近傍もタブとともに縫製することができる。そしてクッション部および保護布は、例えばルーフサイドレールに固定されるブラケットなどにタブを介して取付可能となる。【００１８】
上記の保護布の下端部は、クッション部の膨張展開時に、チャンバ部の下端近傍に位置するとよい。このようにすれば、保護布は、上端部から下端部に至る範囲でチャンバ部の車内側のほぼ全面を覆うことができる。このため、クッション部が乗員に向かって展開した際に、チャンバ部と乗員との間に保護布が確実に介在し、より確実に乗員の傷害値を低減できる。【００１９】
上記の保護布は、クッション部とともにロール状に折り畳まれているとよい。これにより、クッション部が膨張展開するときの抵抗が小さくなる。よって、クッション部のうち保護布の位置する部分の展開が、クッション部の他の部分の展開よりも遅くなることがなくなる。このため、クッション部は、ディレーチャンバがある場合は、その部分を除き、クッション部の全体がほぼ同一のタイミングでよりスムーズに展開可能となる。
【発明の効果】
【００２０】
本発明によれば、クッション部の膨張展開を阻害することなく、乗員の傷害値を低減できるカーテンエアバッグを提供することができる。
【図面の簡単な説明】
【００２１】
【図１】本発明の実施形態におけるカーテンエアバッグを例示する概略図である。
【図２】図１のカーテンエアバッグの展開状態を示す図である。
【図３】図２のカーテンエアバッグの概略断面図である。
【図４】図３（ｃ）の膨張展開時でのカーテンエアバッグに乗員が接触した状態を示す図である。
【図５】図４の乗員が接触した状態のカーテンエアバッグを車両の一部とともに示す概略的な上面図である。
【図６】図１のカーテンエアバッグと保護布のない比較例とにおけるＮｉｊ波形を例示するグラフである。
【図７】本発明の他の実施形態におけるカーテンエアバッグを例示する概略図である。
【符号の説明】
【００２２】
１００、１００Ａ…カーテンエアバッグ、１０２…車両、１０４…インフレータ、１０６…クッション部、１０８…ルーフサイドレール、１１０…前部座席、１１２…後部座席、１１４、１１６…サイドウィンドウ、１１８…フロントピラー、１２０…センタピラー、１２２…リアピラー、１２４…ストラップ、１２６…ブラケット、１２６ａ…スリット、１２６ｂ…孔部、１２８…シーム部、１３０…チャンバ、１３２、１３２Ａ…保護布、１３４…上端部、１３６…上縁部、１３８…縫製ライン、１４０、１４０Ａ…下端部、１４２…タブ、１４４…ボルト、１４６…ナット、１４８…ダミー、１５０、１５２…接触箇所
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
図１は、本発明の実施形態におけるカーテンエアバッグを例示する概略図である。図１（ａ）、図１（ｂ）は、カーテンエアバッグの非展開時、展開時をそれぞれ例示している。以下、カーテンエアバッグ１００は、車両１０２の右側面用のものであるが、図示を省略する左側面用のカーテンエアバッグも同様の対称な構造を有する。
【００２５】
カーテンエアバッグ１００は、図示のように、ガス発生装置であるインフレータ１０４を備えている。カーテンエアバッグ１００は、インフレータ１０４から供給されるガスの圧力によって、図１（ｂ）に示すようにクッション部１０６が膨張展開し、乗員を拘束する。
【００２６】
カーテンエアバッグ１００は、図１（ａ）に示すように巻回された状態（または折り畳まれた状態）で、車両室内の側面部上方の仮想線で示すルーフサイドレール１０８に取り付けられて収納されている。カーテンエアバッグ１００のクッション部１０６は、例えば、その表面を構成する基布を表裏で縫製したり、ＯＰＷ（One-Piece Woven）を用いて紡織したりすることにより袋状に形成される。
【００２７】
車両１０２は、図１に示すように、車両前方から前部座席１１０および後部座席１１２が配置された２列シートの車両である。車両１０２の側面部には、図１（ａ）に示すように、車両前方からサイドウィンドウ１１４、１１６が設置されている。各サイドウィンドウの車両前後方向には、ルーフ（天井）を支えるピラー（柱）が設けられている。これらのピラーは、車両１０２の前方からフロントピラー１１８、センタピラー１２０、リアピラー１２２と呼ばれる。
【００２８】
クッション部１０６には、図１（ａ）に示すように、紐状の部材であるストラップ１２４が取付けられている。ストラップ１２４は、図１（ｂ）に示すように、前端がフロントピラー１１８に取り付けられ、後端がクッション部１０６の前端部に取り付けられている。なおクッション部１０６は、図１（ａ）および図１（ｂ）で概略的に示す複数（ここでは、７つ）のブラケット１２６を介して、上記ルーフサイドレール１０８に固定される。
【００２９】
図２は、図１のカーテンエアバッグ１００の展開状態を示す図である。クッション部１０６は、ガスの流れやすさ等を考慮して、例えばシーム部１２８などにより膨張領域となる複数の小部屋（チャンバ）に区画されている。シーム部１２８は、非膨張領域であり、例えばクッション部１０６の表裏の基布を接合する等により形成されている。チャンバ１３０は、乗員との接触が想定される位置にあり、その車内側には図示のように、クッション部１０６とは別体の布（以下、保護布１３２）が取付けられている。
【００３０】
図３は、図２のカーテンエアバッグ１００の概略断面図である。図３（ａ）は、図２のカーテンエアバッグ１００の収納状態を示す断面図である。図中、矢印Ｘ、Ｙは、車内側、車外側をそれぞれ示している。図３（ｂ）は、図２のカーテンエアバッグ１００が収納状態から展開状態に移行する途中の状態を示す断面図である。図３（ｃ）は、図２のカーテンエアバッグ１００の展開状態を示すＡ−Ａ断面図である。なお、これらの断面図は、カーテンエアバッグ１００の長手方向に直交する方向に沿った断面を示している。ここで長手方向とは、図１に示す車両１０２にカーテンエアバッグ１００が取付けられた状態では車両前後方向に相当する。
【００３１】
保護布１３２は、図２および図３に示すように、その上端部１３４がクッション部１０６の上縁部１３６あるいはその近傍に縫製ライン１３８で示されるように縫製されている。なお、縫製は例示に過ぎず、接着などの他の方法を適用して接合してもよい。保護布１３２は、クッション部１０６の車内側に部分的に取付けられていて、例えば下端部１４０など上端部１３４以外の部分がクッション部１０６に縫製されていない。クッション部１０６の上縁部１３４は、図２に示すように膨張展開時にチャンバ１３０上側に位置している。また、上縁部１３４の近傍は、図２に示すように、縫製ライン１３８によって表裏の基布が縫製された非膨張領域である。
【００３２】
また上記ブラケット１２６は、金属製の部材であって、図３に示すようにスリット１２６ａと孔部１２６ｂとが形成されている。スリット１２６ａには、タブ１４２が通されて折り返された状態となっている。タブ１４２は、上記縫製ライン１３８で示されるようにクッション部１０６および保護布１３２とともに同時縫製されている。これにより、クッション部１０６および保護布１３２は、タブ１２４を介してブラケット１２６に取付けられる。
【００３３】
ブラケット１２６の孔部１２６ｂには、図３に示すように、車内側からボルト１４４が挿通される。ボルト１４４は、さらにルーフサイドレール１０８に挿通され、ナット１４６と締結される。このようにして、ブラケット１２６は、ルーフサイドレール１０８に固定される。
【００３４】
以下、クッション部１０６および保護布１３２の非展開時での収納状態、膨張展開時での展開状態について説明する。まず、保護布１３２は、図３（ａ）に示すように、クッション部１０６の非展開時に、クッション部１０６の車内側に位置する基布１０６ａの表面に沿った状態で、クッション部１０６とともにロール状に折り畳まれている。このため、保護布１３２の一部分は、図３（ａ）に示す収納状態で折り畳まれたクッション部１０６の間に挟み込まれている。
【００３５】
続いて、車両１０２に側面衝突などが発生しクッション部１０６がガスを利用して展開を開始すると、保護布１３２は、上記収納状態でクッション部１０６とともに折り畳まれているので、図３（ｂ）に示すように、クッション部１０６と同時に展開を開始する。特に、保護布１３２は、クッション部１０６とともにロール状に折り畳まれていることから、クッション部１０６が膨張展開するときの抵抗が小さくなる。よって、クッション部１０６のうち保護布１３２の位置する部分の展開が、クッション部１０６の他の部分の展開よりも遅くなることがない。つまり、保護布１３２は、クッション部１０６の膨張展開を阻害しない。このため、クッション部１０６は、保護布１３２が取り付けられていても、全体がほぼ同一のタイミングでよりスムーズに展開可能となる。ただし、クッション部１０６にディレーチャンバがある場合は、その部分だけは展開のタイミングが遅くなる。なお、ディレーチャンバとは、いわゆるメインチャンバに続いてその後に膨張する領域である。
【００３６】
さらに、保護布１３２は、上端部１３４のみクッション部１０６に取付けられているので、クッション部１０６が膨張展開すると、図３（ｃ）に示すように下端部１４０など上端部１３４以外の部分がクッション部１０６から離間可能となる。
【００３７】
また、保護布１３２は、例えば図３（ｃ）に示すクッション部１０６の膨張展開時に、下端部１４０がチャンバ１３０の下端に至る途中まで位置している。このため、保護布１３２は、上端部１３４から下端部１４０に至る範囲でチャンバ１３０の車内側を確実に覆うことができる。
【００３８】
つぎに、図４および図５を参照して、側突時など乗員が正常な着座位置から外れた位置にあるＯＯＰ（out of position）時での、カーテンエアバッグ１００の挙動について説明する。図４は、図３（ｃ）の膨張展開時でのカーテンエアバッグ１００に乗員が接触した状態を示す図である。図５は、図４の乗員が接触した状態のカーテンエアバッグ１００を車両１０２の一部とともに示す概略的な上面図である。図中では、乗員を模したダミー１４８を示している。
【００３９】
カーテンエアバッグ１００は、側突時などに、図４および図５に示すようにダミー１４８が膨張展開したクッション部１０６のチャンバ１３０に向かって車外側に移動し、保護布１３２に接触する。さらに、保護布１３２は、チャンバ１３０とダミー１４８との間に介在しているので、ダミー１４８だけでなく、チャンバ１３０にも接触する。
【００４０】
保護布１３２は、上記したように上端部１３４のみがクッション部１０６に縫製され、下端部１４０などはクッション部１０６から離間可能となっていることから、チャンバ１３０およびダミー１４８に対して滑るようにして動く。
【００４１】
一例として、保護布１３２は、チャンバ１３０との接触箇所１５０で図４に示す車両上下方向の矢印Ｂや、図５に示す車両前後方向の矢印Ｃに沿って、チャンバ１３０に対して滑るように動く場合が考えられる。接触箇所１５０は、クッション部１０６の車内側の基布１０６ａと保護布１３２との接触で形成される領域であり、側突時の状況に応じてその位置や範囲などは適宜変化することになる。
【００４２】
また、保護布１３２は、ダミー１４８との接触箇所１５２で図４に示す車両上下方向の矢印Ｄや、図５に示す車両前後方向の矢印Ｅに沿って、ダミー１４８に対して滑るように動く場合が考えられる。接触箇所１５２は、車外側に移動したダミー１４８と保護布１３２との接触で形成される領域であり、側突時の状況に応じてその位置や範囲などは適宜変化する。さらに、保護布１３２がチャンバ１３０およびダミー１４８に対して接触箇所１５０、１５２で滑る方向は、車両上下方向あるいは車両前後方向に限られず、側突時の状況に応じて他の方向に移動することもあり得る。
【００４３】
このように、カーテンエアバッグ１００では、ＯＯＰ時に膨張展開したクッション部１０６とダミー１４８との間に介在する保護布１３２が、クッション部１０６およびダミー１４８に対して滑ることで、クッション部１０６とダミー１４８との間の摩擦が緩和される。その結果、カーテンエアバッグ１００では、乗員への傷害値を低減できる。
【００４４】
なお保護布１３２は、例えばクッション部１０６を形成する基布と同一材質で形成してもよく、クッション部１０６および乗員に対してＯＯＰ時に滑ることが可能であれば、ナイロンやポリエステルなど適宜の材質で形成してもよい。保護布１３２の乗員に接する側（車内側）の表面は、非コーティング面となっている。なお、少なくとも乗員に接する側が非コーティング面であれば良いが、両面とも非コーティング面であっても良い。通常カーテンエアバッグには、展開後の内圧保持のために、エアバッグの内側または外側にシリコン樹脂などによりコーティングが施されている。例えば、ＯＰＷ（One-Piece Woven）により紡織されたカーテンエアバッグでは、特に、バッグの内側にシリコンコーティングを施すことができず、バッグの外側がシリコンコーティングされている。このように、カーテンエアバッグ自体の表面がシリコンコーティングされていると、表面が粘着質となり、乗員と布の表面の間の摩擦力が増大する。保護布１３２の表面を非コーティング面とすることは、この摩擦力を低減する上で有効である。また、保護布１３２は、滑り易さを考慮して、繊維からなる糸の太さや織り方など適宜選択可能である。
【００４５】
図６は、図１のカーテンエアバッグ１００と保護布１３２のない比較例におけるＮｉｊ波形を例示するグラフである。なおＮｉｊとは、首傷害値（Neck Injury）をいう。図中横軸を時間（msec）、縦軸を首傷害値とした。図中、グラフＦ、Ｇは、ＮＣＥ（Neck compression/extension）に関して得られたＮｉｊ波形である。
【００４６】
実線で示すグラフＦは、本実施形態のカーテンエアバッグ１００のように保護布１３２をクッション部１０６に部分的に取付けた場合での首傷害値の推移を示している。一方、点線で示すグラフＧは、保護布１３２を取付けていない比較例のカーテンエアバッグでの首傷害値の推移を示している。
【００４７】
グラフＦは、図示のように、全体的にグラフＧよりも首傷害値が小さくなっている。具体的には、グラフＦ上の点Ｈは、（３２．３、０．７１）に位置し、より詳しくは首傷害値が７１．４０％であった。一方、比較例のグラフＧ上の点Ｉは、（４３．２、０．８８）に位置し、より詳しくは首傷害値が８８．４８％となった。つまり、本実施形態のカーテンエアバッグ１００では、比較例に比べて、首傷害値が１７．０８％も低減されている。
【００４８】
このように、本実施形態のカーテンエアバッグ１００では、ＯＯＰ時に膨張展開したクッション部１０６とダミー１４８との間に上記保護布１３２が介在し、クッション部１０６およびダミー１４８に対して保護布１３２が滑ることで、乗員への傷害値を低減できることが明らかとなった。
【００４９】
また、保護布１３２の一部分は、図３（ａ）に示すように収納状態で折り畳まれたクッション部１０６の間に挟み込まれているので、折り畳まれたクッション部１０６が膨張展開するとき同時に確実に展開し、クッション部１０６の膨張展開を阻害しない。このため、クッション部１０６は、保護布１３２によってファーストインパクトの展開スピードが阻害されることもなく、ディレーチャンバがある場合にはその部分を除く全体が均一に展開する。なお、ファーストインパクトとは、車両に側面衝突が生じて、乗員が車室側面に衝突する第１段の衝撃をいう。
【００５０】
また、保護布１３２の上端部１３４は、クッション部１０６の上縁部１３６またはその近傍の非膨張領域で接合されている。このため、クッション部１０６の膨張展開時に、クッション部１０６に対する保護布１３２の位置が安定する。よって、保護布１３２は、膨張展開時にチャンバ１３０の車内側の所定範囲を確実に覆うことが可能となる。
【００５１】
また、保護布１３２の乗員に接する側の表面は、非コーティング面となっている。このため、乗員と保護布１３２との接触抵抗（摩擦力）がより小さくなり、保護布１３２のよりスムーズな展開を可能とし、ＯＯＰ時の乗員への傷害値を確実に低減できる。なお保護布１３２は、片面のみを非コーティング面としたが、これに限られず、両面を非コーティング面とすれば、さらにスムーズな展開を実現できる。
【００５２】
さらに、保護布１３２の上端部１３４の接合は、タブ１４２と同時縫製によって形成され、また、上端部１３４が接合されるクッション部１０６の上縁部１３６またはその近傍もタブ１４２とともに縫製されている。このため、クッション部１０６および保護布１３２は、上記ルーフサイドレール１０８に固定されるブラケット１２６などにタブ１４２を介して取付可能となる。
【００５３】
図７は、本発明の他の実施形態におけるカーテンエアバッグ１００Ａを例示する概略図である。カーテンエアバッグ１００Ａは、保護布１３２Ａの上下方向の長さが上記保護布１３２よりも長い点で、上記カーテンエアバッグ１００と異なる。
【００５４】
保護布１３２Ａでは、下端部１４０Ａが図示のようにチャンバ１３０の下端近傍に位置している。このため、保護布１３２Ａは、上端部１３４から下端部１４０Ａに至る範囲でチャンバ１３０の車内側のほぼ全面を覆うことができる。したがって、カーテンエアバッグ１００Ａでは、ＯＯＰ時にチャンバ１３０と乗員との間に保護布１３２Ａが確実に介在し、より確実に乗員の傷害値を低減できる。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５６】
また、上記実施形態においては本発明にかかるカーテンエアバッグを自動車に適用した例を説明したが、自動車以外にも航空機や船舶などに適用することも可能であり、同様の作用効果を得ることができる。
【産業上の利用可能性】
【００５７】
本発明は、車両の側面衝突時やロールオーバ（横転）時に、乗員保護を目的として車両室内の側面部に沿って膨張展開するカーテンエアバッグに利用することができる。
【図１】
2014061323.tif 000003
【図２】
2014061323.tif 000004
【図３】
2014061323.tif 000005
【図４】
2014061323.tif 000006
【図５】
2014061323.tif 000007
【図６】
2014061323.tif 000008
【図７】
2014061323.tif 000009
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
車両室内の側面部上方に収納されて該側面部に沿って膨張展開するカーテンエアバッグにおいて、
袋状のクッション部であり、ガスを利用して膨張展開するチャンバ部と、膨張展開時に該チャンバ部の上側に位置する上縁部とを有するクッション部と、
膨張展開時に前記チャンバ部の車内側に位置する前記クッション部とは別体の保護布であり、前記クッション部の前記上縁部またはその近傍に前記保護布の上端部が接合される保護布とを備え、
前記保護布は、該クッション部の車内側の表面に沿った状態で該クッション部とともに折り畳まれていることを特徴とするカーテンエアバッグ。
【請求項２】
前記保護布の一部分は、収納状態に折り畳まれた前記クッション部の間に挟み込まれていることを特徴とする請求項１に記載のカーテンエアバッグ。
【請求項３】
前記保護布の少なくとも車内側表面は、非コーティング面であることを特徴とする請求項１または２に記載のカーテンエアバッグ。
【請求項４】
前記保護布の前記上端部は、非膨張部であることを特徴とする請求項１から３のいずれか１項に記載のカーテンエアバッグ。
【請求項５】
前記保護布の前記上端部以外の部分は、前記クッション部に対して非接合部であることを特徴とする請求項１から４のいずれか１項に記載のカーテンエアバッグ。
【請求項６】
前記保護布の前記上端部の接合部は、タブの接合部と同一の縫製糸を有することを特徴とする請求項１から５のいずれか１項に記載のカーテンエアバッグ。
【請求項７】
前記保護布の下端部は、前記クッション部の膨張展開時に、前記チャンバ部の下端近傍に位置することを特徴とする請求項１から６のいずれか１項に記載のカーテンエアバッグ。
【請求項８】
前記保護布は、前記クッション部とともにロール状に折り畳まれていることを特徴とする請求項１から７のいずれか１項に記載のカーテンエアバッグ。
【国際調査報告】
2014061323.tif 000010
2014061323.tif 000011